(57)【要約】【課題】一部屋を簡便に仕切って個室化することが可能で、それと同時に、仕切られた空間の使用用途に応じた家庭用品を整理収納できる家庭用パーテイション家具の提供。【解決手段】物を整理収納する収納箱と、前記収納箱の少なくとも片方の側面に取付けられた仕切壁と、前記収納箱と前記仕切壁の間に配置され、前記収納箱と前記仕切壁を回動可能に連結する仕切壁取付部材からなる家庭用パーテイション家具である。【選択図】  図１
2004344579.tif 000002
【特許請求の範囲】
【請求項１】
物を整理収納する収納箱と、前記収納箱の少なくとも片方の側面に取付けられた仕切壁と、前記収納箱と前記仕切壁の間に配置され、前記収納箱と前記仕切壁を回動可能に連結する仕切壁取付部材からなる家庭用パーテイション家具。
【請求項２】
前記仕切壁は、前記収納箱の両側面に取付けられ、前記収納箱の後面から、互いに異なる距離で取付けられることを特徴とする請求項１記載の家庭用パーテイション家具。
【請求項３】
前記仕切壁取付部材は、軟質の材料から成る蝶番であることを特徴とする請求項１又は２記載の家庭用パーテイション家具。
【請求項４】
前記収納箱は、前面、後面のいずれにも収納箱内部の収納空間に通ずる戸若しくは引出しを有することを特徴とする請求項１乃至３いずれかに記載の家庭用パーテイション家具。
【請求項５】
前記仕切壁は、複数の仕切板が連結したものであって、各仕切板の幅は前記収納箱の側面幅より狭く形成され、前記複数の仕切板の間には、該複数の仕切板のそれぞれを回動可能に連結する仕切板連結部材が配置されて成ることを特徴とする請求項１乃至４いずれかに記載の家庭用パーテイション家具。
【発明の詳細な説明】
【０００１】
【発明の属する技術分野】
本発明は、一部屋を簡便に仕切って個室化することが可能で、家庭用品を収納でき、また部屋を仕切らない場合には、家庭用パーテイション家具を構成する仕切板を畳み、部屋を広く使用することを可能とする家庭用パーテイション家具に関する。
【０００２】
【従来の技術】
日本の住宅事情においては、十分な部屋の数を確保することは困難な場合が多い。しかしながら、一時的に若しくは恒久的に、一つの部屋を仕切って個室化し、仕切られた各空間を各々別途の用途で使用したい場合がある。例えば、一つの部屋を子供部屋と書斎で使い分けたい場合などである。
また、各空間ごとの使用用途が異なれば、各空間ごとにその使用目的に応じた家庭用品を整理収納したい場合も生ずる。
【０００３】
一つの部屋を仕切って個室化し、仕切られた各空間を各々別個の目的で使用したい場合には、パーテイションで部屋を仕切るなどしていた。しかしながら、据置型のパーテイションでは、一部屋を仕切ることは出来るが簡便に移動させることは困難であり、使用目的に応じて部屋を一時的に間仕切ることができず、結果として、恒久的に部屋を仕切らざるを得なかった。
また、従来のキャスター付パーテイションで一部屋を一時的に仕切った場合であっても、仕切られた各空間の使用用途に応じた家庭用品を整理収納することができず、そのように整理収納しようとすれば、キャスター付パーテイションに加えて各空間の使用用途に応じた家庭用品を整理収納するための家具を用意する必要があった。
また、扉を有する家具として、特許文献１に示すようなものもあるが、該扉は部屋を仕切るためのものではなく、箱の開放部を閉じるためのものであり、一部屋を仕切って個室化するための機能としては十分ではなかった。
そこで、一部屋を簡便に仕切って個室化することが可能で、それと同時に、仕切られた空間の使用用途に応じた家庭用品を整理収納できる家具が望まれていた。しかしながら、このような両方のニーズに応える家具は市販されていないのが現状である。
【０００４】
【特許文献１】
登録実用新案第３０１７３３９号公報
【０００５】
【発明が解決しようとする課題】
本発明は、上記従来の実情に鑑みてなされたものであって、一部屋を簡便に仕切って個室化することが可能で、それと同時に、仕切られた空間の使用用途に応じた家庭用品を整理収納できる家庭用パーテイション家具を提供することを目的とする。
【０００６】
【課題を解決するための手段】
請求項１記載の発明は、物を整理収納する収納箱と、前記収納箱の少なくとも片方の側面に取付けられた仕切壁と、前記収納箱と前記仕切壁の間に配置され、前記収納箱と前記仕切壁を回動可能に連結する仕切壁取付部材からなる家庭用パーテイション家具である。
【０００７】
請求項２記載の発明は、前記仕切壁は、前記収納箱の両側面に取付けられ、前記収納箱の後面から、互いに異なる距離で取付けられることを特徴とする請求項１記載の家庭用パーテイション家具である。
【０００８】
請求項３記載の発明は、前記仕切壁取付部材は、軟質の材料から成る蝶番であることを特徴とする請求項１又は２記載の家庭用パーテイション家具である。
【０００９】
請求項４記載の発明は、前記収納箱は、前面、後面のいずれにも収納箱内部の収納空間に通ずる戸若しくは引出しを有することを特徴とする請求項１乃至３いずれかに記載の家庭用パーテイション家具である。
【００１０】
請求項５記載の発明は、前記仕切壁は、複数の仕切板が連結したものであって、各仕切板の幅は前記収納箱の側面幅より狭く形成され、前記複数の仕切板の間には、該複数の仕切板のそれぞれを回動可能に連結する仕切板連結部材が配置されて成ることを特徴とする請求項１乃至４いずれかに記載の家庭用パーテイション家具である。
【００１１】
【発明の実施の形態】
以下、本発明に係る家庭用パーテイション家具の実施の形態について、図を参照しつつ説明する。図１は本発明の実施形態の家庭用パーテイション家具の斜視図である。
【００１２】
本実施形態の家庭用パーテイション家具は、図１に示すように、直方体形状の収納箱１と、収納箱１の側面に取付けられた板状の仕切壁２と、収納箱１と仕切壁２の間に配置され、両者を回動可能に連結する仕切壁取付部材３を有している。
【００１３】
図１に示すように、収納箱１は、収納箱１の前面１１及び後面１２に、家庭用品を整理収納するための戸１３及び引出し１４を有している。尚、本発明においては、これらの整理収納のための手段は、家庭用品を整理収納するための他の手段（例えば、棚など）であってもよい。またこれらの収納手段が前面、後面のいずれか一方の面に設けられ、前面若しくは後面のいずれかから整理収納可能なものであってもよい。
更には収納箱１の前面１１及び後面１２は、化粧仕上を施されるものであってもよい。
【００１４】
また、収納箱１の底部には、家庭用パーテイション家具の移動を容易にするためのキャスター２２が備えられている。尚、本発明においては、他の移動を容易とするための手段が施されていてもよいし（例えば、ガイドレールとスライダーの組合せ等）、また家庭用パーテイション家具の移動を頻繁にするつもりがないならば、キャスターはなくともよい。
収納箱１の形状は、図１に示すような、底面若しくは上面が略正方形のものに限定されるものではなく、所望の収納される家庭用品の大きさや数量、若しくは本発明に係る家庭用パーテイション家具が使用される部屋の大きさに応じて定められてもよい。即ち、家具の収納面幅を広くするものであってもよいし、若しくは家具の奥行を長くするものであってもよい。
【００１５】
図１に示すように、仕切壁２は収納箱１の両側面に取付けられている。仕切壁２は２枚の仕切板２１から成り、仕切板２１間に配置された仕切板連結部材４により、回動可能に連結されている。仕切板２１の表面は家庭内の部屋の雰囲気に合わせた化粧仕上が施されている。
図示例では仕切板連結部材４に軟質材料（例えば、布、プラスチック、その他人が触れたときに怪我をしにくい材料）からなる蝶番が用いられているが、仕切板を回動可能に連結する他の手段であってもよい。
また、連結される仕切板２１の数は２枚に限定されるものではなく、所望に応じて１枚であってもよいし、３枚以上の仕切板２１を連結させるものであってもよい。
更には、仕切板２は収納箱１の両側面に取付けられる必要はなく、いずれか一方の側面に取付けられるものであってもよい。
【００１６】
仕切板２１の幅は収納箱１の側面幅と略同一幅若しくは狭く形成されている。各仕切板底部には床上を転動するキャスター２２が設けられている。
仕切板の回動を容易とするための手段として、キャスター以外の手段が用いられてもよい。例えば、仕切板２１の底部と床との間に隙間を設ける等である。
尚、所望ならば、仕切板２１の幅を収納箱１の側面幅よりも広く形成してもよい。
【００１７】
図１に示すように、収納箱１と仕切壁２の間には、仕切壁取付部材３が配置されている。仕切壁取付部材３は、仕切壁２を収納箱１に回動可能に連結している。図示例では仕切壁取付部材３に軟質材料（例えば、布、プラスチック、その他人が触れたときに怪我をしにくい材料）からなる蝶番が用いられているが、仕切壁２を回動可能に連結する他の手段であってもよい。
尚、図１では、仕切壁２は収納箱１の側面と収納箱の前面１１若しくは後面１２との角部に互い違いに取付けられているが、これに限定されるものではなく、図２に示すように、収納箱１の側面幅方向の中央寄りに取付けられるものであってもよいし（図２（ａ）参照）、両側面に取付けられた仕切壁２が一列に並ぶものであってもよい（図２（ｂ）参照）。
【００１８】
図３は家庭用パーテイション家具を側方から見た図である。仕切壁２は収納箱１の側方に広げられた状態である。
収納箱１の両側面に配置された仕切壁２は、収納箱１の後面１２から互いに異なる位置に取付けられている。
好ましくは、一方の仕切壁２の収納箱１の後面からの距離と他方の仕切壁２の収納箱の前面からの距離が等しく、かつ両側面の仕切壁２が広げられた状態で一列に配置されないことが望ましい。
更に好ましくは、一方の仕切壁２が収納箱１の後面側の側面端に取付けられ、他方の仕切壁２が収納箱１の前面側の側面端に取付けられることが望ましい。
この状態において、収納箱１の前面或いは後面側向きの力Ｆが加わったとき、家庭用パーテイション家具は力Ｆが加わる方向の側の仕切壁２の底部或いは収納箱１の前面若しくは後面の底辺を軸にしてモーメントＭ１を生じ転倒しようとするが（図３（ａ）、（ｂ）参照）、他方の仕切壁２の自重Ｗにより反対方向のモーメントＭ２が生ずるため転倒しにくくなる（図３（ｂ）、（ｃ）参照）。
【００１９】
上記構造を有する家庭用パーテイション家具の高さをやや低めに形成し、視覚的圧迫感を低減させるものであってもよい。好ましくは、家庭用パーテイション家具を１４０ｃｍの高さに形成することが望ましい。
【００２０】
図４は、上記のように構成された本実施形態の家庭用パーテイション家具Ｉが使用された部屋の上方からの俯瞰図である。
図４において、家庭用パーテイション家具Ｉの右方が子供部屋として、左方が書斎として使われている。子供部屋では二人の子供Ｃ１とＣ２がおり、子供Ｃ１は家庭用パーテイション家具Ｉから漫画本を取り出そうとしている。また、書斎には子供の父親Ｐがいる。
仕切壁２が収納箱１の側方に広がっているため、子供部屋と書斎を仕切り、各空間を個室化できるため、子供Ｃ１、Ｃ２と父親Ｐは互いにリラックスした状態で、各々の空間を使用することができる。
更に、収納箱１の両側面に配置された仕切壁２が、収納箱１の後面１２から互いに異なる位置に取付けられているので、家庭用パーテイション家具Ｉが子供部屋側若しくは書斎側に転倒しにくくなっており、安全性が高まっている。
【００２１】
尚、本実施例においては、他の場合においても、この一部屋を仕切って個室化する機能は使用できる。例えば、家族内に病人がいる場合において、本発明に係る家庭用パーテイション家具Ｉを病人と健康な家族との間に配置し、病人のいる空間と健康な家族のいる空間を仕切って個室化することが出来る。
また、収納箱１の前面１１及び後面１２に収納手段を有するのであれば、病人用の介護用品と通常の家庭用品を区別して収納することが可能で、病人用の介護用品と家庭用品が混在することなく衛生が保たれる。また病人に必要な介護用品を即座に取り出すことも可能である。
【００２２】
図５は、家庭用パーテイション家具Ｉの仕切壁２を折り畳んだ状態を示す図である。
図５に示すように、折り畳まれた仕切壁２は、仕切板２１が収納箱１の側面幅と略同一幅若しくは狭く形成されているので、収納箱１の前面１１或いは後面１２を超えてはみ出ることがなく、省スペースを実現している。
【００２３】
図６は、家庭用パーテイション家具Ｉの仕切板２１を折り畳んだ他の形態を示す図である。収納箱１は前面１１及び／又は後面１２に開口部１５を有し、４つの区画に分けられている（図６（ａ）参照）。仕切壁２が広げられた状態で、開口部の各底面上に家庭用品を置くことができる。また、図６（ｂ）に示すように、収納箱１の側面及び前面１１、後面１２を囲むように、仕切壁２を折り畳むことにより、仕切壁は開口部を塞ぎ、外部から整理収納された家庭用品を不可視の状態におくこともできる。
上記のようにして、家庭用パーテイション家具Ｉの仕切壁２に一部屋を仕切って個室化する機能だけではなく、収納箱１の扉としての機能を付加することもできる。
【００２４】
【発明の効果】
請求項１記載の発明は、家庭用品を整理収納すると同時に、仕切壁により一部屋を仕切って個室化することができ、一つの部屋を複数の目的で使用することを可能にする。
【００２５】
請求項２記載の発明は、収納箱の両側面に配置された仕切壁が、収納箱の後面から互いに異なる位置に取付けられているので、一方向からの力が加わったときに、その力により生ずる収納箱前面若しくは後面及び一方の仕切壁底面を軸とするモーメントに対し、他方の仕切壁の自重により対抗するモーメントが生ずるので、家庭用パーテイション家具の転倒を防止する。
【００２６】
請求項３に記載の発明は、仕切壁取付部材が軟質の材料から成る蝶番であるので、仕切壁取付部材を金属などの硬質の材料で形成するよりも、使用者が怪我をする危険性を低減できる。
【００２７】
請求項４記載の発明は、収納箱の前面、後面のいずれからも収納可能となり、整理収納を容易とする。
【００２８】
請求項５に記載の発明は、仕切板連結部材によって仕切壁を折り畳むことができ、仕切板の幅が収納箱の側面幅より狭いため、仕切壁を折り畳んだときに省スペースを実現できる。
【図面の簡単な説明】
【図１】本発明の実施形態の家庭用パーテイション家具の斜視図である。
【図２】本発明の実施形態の一例を示す家庭用パーテイション家具を上方から見た図である。（ａ）、（ｂ）ともに実施形態の一例を示す。
【図３】家庭用パーテイション家具を側方から見た図である。（ａ）は力が加わったとき、（ｂ）はモーメントが生じている状態、（ｃ）は反対側のモーメントにより転倒が防止された状態を示す。
【図４】家庭用パーテイション家具が使用された部屋の上方からの俯瞰図である。
【図５】家庭用パーテイション家具の仕切壁を折り畳んだ状態を示す図である。（ａ）は上方から見た図、（ｂ）は側面図である。
【図６】家庭用パーテイション家具の仕切壁を折り畳んだ他の形態を示す図である。（ａ）は仕切壁を広げた状態、（ｂ）は仕切壁を折り畳んだ状態を示す図である。
【符号の説明】
Ｉ  家庭用パーテイション家具
１  収納箱
２  仕切壁
２１  仕切板
３  仕切壁取付部材
４  仕切板連結部材
【図１】
2004344579.tif 000003
【図２】
2004344579.tif 000004
【図３】
2004344579.tif 000005
【図４】
2004344579.tif 000006
【図５】
2004344579.tif 000007
【図６】
2004344579.tif 000008